(57)【要約】【課題】ユーザの視力に応じて画像を表示し、視認性を高めることができる虚像表示装置、虚像表示方法および虚像表示プログラムを提供する。【解決手段】虚像表示装置１００は、視力取得部２１、表示情報取得部２２、表示画像生成部２３および投射処理部２５を備える。視力取得部２１はユーザの視力を取得し、表示情報取得部２２は表示する情報を取得する。表示画像生成部２３は、表示情報取得部２２により取得した情報に対応する画像を、視力取得部２１により取得した視力に応じて表示する表示画像を生成する。投射処理部２５は、表示画像生成部２３により生成した表示画像を虚像として投射する投射処理を行う。【選択図】図２
2019061088.tif 000002
【特許請求の範囲】
【請求項１】
ユーザの視力を取得する視力取得部と、
表示する情報を取得する表示情報取得部と、
前記表示情報取得部により取得した情報に対応する画像を、前記視力取得部により取得した視力に応じて表示する表示画像を生成する表示画像生成部と、
前記表示画像生成部により生成した表示画像を虚像として投射する投射処理を行う投射処理部と、
を備えることを特徴とする虚像表示装置。
【請求項２】
前記表示画像生成部は、前記視力取得部により取得した視力に応じて、前記表示情報取得部により取得した情報に対応する画像の表示寸法を変更することを特徴とする請求項１に記載の虚像表示装置。
【請求項３】
前記表示画像生成部は、前記視力取得部により取得した視力に応じて、表示画像に含まれる情報量を変更することを特徴とする請求項１または２に記載の虚像表示装置。
【請求項４】
前記表示情報取得部により取得される情報の優先順位を設定する優先順位設定部を備え、
前記表示画像生成部は、設定された優先順位に基づいて、表示画像に含まれる情報量を変更することを特徴とする請求項３に記載の虚像表示装置。
【請求項５】
前記視力取得部は、虚像として投射された視力測定用画像に対するユーザの回答に基づいて視力を取得することを特徴とする請求項１から４のいずれか１項に記載の虚像表示装置。
【請求項６】
前記視力取得部は、車両の運転開始時の視力を取得することを特徴とする請求項１から５のいずれか１項に記載の虚像表示装置。
【請求項７】
前記表示画像生成部は、虚像として投射された色見本の表示画像に対するユーザの入力に基づいて表示画像を生成することを特徴とする請求項１から６のいずれか１項に記載の虚像表示装置。
【請求項８】
ユーザの視力を取得する視力取得ステップと、
表示する情報を取得する表示情報取得ステップと、
前記表示情報取得ステップにより取得した情報に対応する画像を、前記視力取得ステップにより取得した視力に応じて表示する表示画像を生成する表示画像生成ステップと、
前記表示画像生成ステップにより生成した表示画像を虚像として投射する投射処理を行う投射処理ステップと、
を備えることを特徴とする虚像表示方法。
【請求項９】
ユーザの視力を取得する視力取得ステップと、
表示する情報を取得する表示情報取得ステップと、
前記表示情報取得ステップにより取得した情報に対応する画像を、前記視力取得ステップにより取得した視力に応じて表示する表示画像を生成する表示画像生成ステップと、
前記表示画像生成ステップにより生成した表示画像を虚像として投射する投射処理を行う投射処理ステップと、
をコンピュータに実行させることを特徴とする虚像表示プログラム。
【発明の詳細な説明】
【技術分野】
【０００１】
本発明は、虚像表示装置、虚像表示方法および虚像表示プログラムに関する。
【背景技術】
【０００２】
車両に搭載されるヘッドアップディスプレイ等の虚像表示装置は、車外から入る光を透過すると共に、車内に配置された光学ユニットから投射された表示画像を車両のフロントガラスなどに反射させることにより、車外の風景に重畳する虚像を表示する。虚像表示装置は、車外の景色を視認しているユーザが視線や焦点をほとんど変化させることなく光学ユニットから投射された画像の情報を認識することができる。
【０００３】
虚像表示装置が表示する表示画像の情報量が多くなると、表示画像に含まれる個々の画像が細かくなり、ユーザの視力によっては視認性が低下する。特許文献１には、車両に乗車しながら運転者の視覚状態を判断することができる表示制御装置が開示されている。この表示制御装置は、視力測定に用いるランドルド環を表示する表示装置からユーザのアイポイントまでの距離に応じて、運転操作に必要な法定視力に相当するランドルド環の大きさを演算し、該ランドルド環を表示する。ユーザは、表示されたランドルド環の切欠き方向が認識できれば、法定視力を有していることを把握できる。
【先行技術文献】
【特許文献】
【０００４】
【特許文献１】特開２００５−０９６６４５号公報
【発明の概要】
【発明が解決しようとする課題】
【０００５】
特許文献１に記載の表示制御装置では、ユーザの視力が法定視力を有していることを把握できるが、視力が法定視力を有するものの比較的に低い場合に、車両の内外に表示される細かい画像への視認性を高めることはできない。
【０００６】
とくに虚像表示装置は、車外を視認しているユーザが視線や焦点をほとんど変化させることなく虚像を認識することができるため、表示画像により多くの情報を含ませる傾向にあり、ユーザの視力が低い場合には表示画像の視認性が低くなってしまう。
【０００７】
本発明は、斯かる事情に鑑みてなされたものであり、その目的とするところは、ユーザの視力に応じて画像を表示し、視認性を高めることができる虚像表示装置、虚像表示方法および虚像表示プログラムを提供することにある。
【課題を解決するための手段】
【０００８】
本発明のある態様の虚像表示装置は、ユーザの視力を取得する視力取得部と、表示する情報を取得する表示情報取得部と、前記表示情報取得部により取得した情報に対応する画像を、前記視力取得部により取得した視力に応じて表示する表示画像を生成する表示画像生成部と、前記表示画像生成部により生成した表示画像を虚像として投射する投射処理を行う投射処理部と、を備える。
【０００９】
また本発明の別の態様は虚像表示方法である。この虚像表示方法は、ユーザの視力を取得する視力取得ステップと、表示する情報を取得する表示情報取得ステップと、前記表示情報取得ステップにより取得した情報に対応する画像を、前記視力取得ステップにより取得した視力に応じて表示する表示画像を生成する表示画像生成ステップと、前記表示画像生成ステップにより生成した表示画像を虚像として投射する投射処理を行う投射処理ステップと、を備える。
【発明の効果】
【００１０】
本発明によれば、ユーザの視力に応じて画像を表示し、視認性を高めることができる。
【図面の簡単な説明】
【００１１】
【図１】実施形態に係る虚像表示装置の構成を模式的に示す側面図である。
【図２】虚像表示装置の構成を示すブロック図である。
【図３】虚像として表示される表示画像の一例を示す模式図である。
【図４】優先順位テーブルの一例を示す図表である。
【図５】虚像表示処理の手順を示すフローチャートである。
【図６】視力測定時に虚像として表示される表示画像の一例を示す模式図である。
【図７】視力に応じて虚像として表示される表示画像の一例を示す模式図である。
【図８】視力に応じて虚像として表示される表示画像の一例を示す模式図である。
【図９】変形例における視力測定時の表示画像の一例を示す模式図である。
【図１０】変形例に係る虚像表示装置の構成を模式的に示す側面図である。
【発明を実施するための形態】
【００１２】
以下、本発明を好適な実施の形態をもとに図１から図１０を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
（実施形態）
図１は、実施形態に係る虚像表示装置１００の構成を模式的に示す側面図である。虚像表示装置１００は、例えば車両のフロントガラス９０の下方におけるダッシュボード内またはダッシュボード上に配置され、フロントガラス９０またはコンバイナの前方に虚像６０を表示する。虚像表示装置１００は、制御部２０から出力される表示画像に基づいて投射部３０が画像表示光を出射し、投射鏡４０で反射してフロントガラス９０またはコンバイナに投射する。虚像表示装置１００は、投射した画像表示光がフロントガラス９０またはコンバイナによって反射され、車外の風景に重畳される虚像６０をフロントガラスの前方に映し、ユーザに提供する。
【００１４】
虚像表示装置１００は、例えば車両の走行速度、エンジンの温度および燃料の残量等の車両情報、外気温などの外部環境情報、および最高速度等の道路標識に関する情報、等に対応する画像を含む表示画像を生成する。また虚像表示装置１００は、車両に搭載されたナビゲーション装置等の地図表示装置から取得した現在位置情報およびルート案内情報に対応する画像を含む表示画像を生成する。
【００１５】
虚像表示装置１００は、取得したユーザの視力に応じて、表示画像に含まれる情報量を増減し、各情報に対応する画像の大きさを変更して表示画像を生成し、虚像として表示する。以下に説明する実施形態に係る虚像表示装置１００は、車載用のものに限られず、航空機やゲーム機、娯楽施設等においても利用することができるとともに、小型化されてウェアラブルな装置として利用することもできる。
【００１６】
図２は、虚像表示装置１００の構成を示すブロック図である。虚像表示装置１００は、入力部１０、記憶部１１、制御部２０、投射部３０および投射鏡４０を備える。入力部１０は、操作キー、十字キー、タッチパネル等のスイッチから構成されており、ユーザによる操作入力を受け付ける。入力部１０は、例えば、ディスプレイ装置に組み込まれたタッチパネルであってもよい。また、入力部１０は、操作入力の他、音声入力やジェスチャ入力等の別手段による入力にも対応していてもよい。記憶部１１は、ＲＡＭ（Random Access Memory）、フラッシュメモリ、ハードディスク記憶装置等のデータ記憶装置によって構成されており、後述する優先順位テーブル１１ａを記憶する。
【００１７】
制御部２０は、視力取得部２１、表示情報取得部２２、表示画像生成部２３、優先順位設定部２４および投射処理部２５を有する。制御部２０は、例えばＣＰＵなどによって構成され、不揮発性メモリ（図示略）に格納されたコンピュータプログラム、およびコンピュータプログラムに用いる各種情報に従って、上述の各部による処理を実行する。
【００１８】
制御部２０において視力取得部２１は、ユーザの視力を測定することによって取得する。視力取得部２１は、表示画像生成部２３によって生成される視力測定用画像（例えばランドルド環など）が、順次、虚像としてフロントガラス９０の前方に表示され、各視力測定用画像に対するユーザの回答を入力部１０から取得することによって、ユーザの視力を測定する。
【００１９】
視力測定用画像は、例えば外形寸法が小さいものから大きいものまで複数個が用意されており、視力の高低に対応する。制御部２０は、例えば視力０．３〜１．５までの視力に対応する視力測定用画像を順次虚像としてフロントガラス９０の前方に表示し、各視力測定用画像に対するユーザの回答を入力部１０から取得する。例えば視力測定用画像としてランドルド環を虚像として表示する場合、各ランドルド環における切欠きのある側が上下左右のいずれであるかの回答をユーザが入力部１０により入力し、視力取得部２１で各回答を取得する。視力取得部２１は、各視力測定用画像に対するユーザの回答の正誤を判定し、正答が得られた最大の視力をユーザの視力として取得する。視力測定は、数回の測定を試行するなど種々のアルゴリズムによって更に測定精度を高めることができる。
【００２０】
また、視力取得部２１は、入力部１０によりユーザが入力した視力を取得するようにしてもよい。この場合、ユーザが自己の視力が幾らであるかを知っている必要がある。但し、ユーザが別途の視力検査等によって自己の視力を知っていたとしても、昼夜の違いや、目などの疲労感によっても視力が変わるため、車両の使用時に上述のように実際にフロントガラスの前方に虚像を映して視力測定を実施することが好ましい。
【００２１】
表示情報取得部２２は、虚像６０に表示する情報を外部装置８０から取得する。表示する情報は、例えば車両の走行速度、エンジン温度および燃費等の車両に関する情報、外気温などの外部環境に関する情報、最高速度等の道路交通規制に関する情報、並びに現在位置情報およびルート案内情報等である。外部装置８０は、車両に搭載された電子制御装置、カーナビゲーション装置等の地図表示装置、ＶＩＣＳ（登録商標）（Vehicle Information and Communication System）からの道路交通情報を受信するＶＩＣＳ受信装置、およびドライブレコーダ等の車外撮像装置などである。
【００２２】
表示情報取得部２２は、車両に関する情報および外部環境に関する情報を車両に搭載された電子制御装置から取得する。また表示情報取得部２２は、道路交通規制に関する情報、現在位置情報およびルート案内情報を主として地図表示装置から取得するが、ＶＩＣＳ受信装置および車外撮像装置が車両に搭載されている場合には、これらの装置から各情報を取得するようにしてもよい。
【００２３】
表示画像生成部２３は、表示情報取得部２２から入力された各情報に対応する画像を含む表示画像を生成し、投射部３０へ出力する。図３は虚像として表示される表示画像の一例を示す模式図であり、図４は優先順位テーブル１１ａの一例を示す図表である。図３に示す表示画像Ａは、幅および高さ方向を所定のピクセル寸法とする長方形状の領域を有する画像であり、この領域内に各種情報に対応する画像データが配置されている。
【００２４】
表示画像Ａには、車両の走行速度を示す走行速度画像５０、エンジン温度等を示すエンジン情報画像５１、自動走行制御の維持速度を示す維持速度画像５２、および前方車両への衝突を警告する衝突警告画像５３が含まれている。走行速度、エンジン情報、維持速度および衝突警告等の車両情報は、車両に搭載された電子制御装置から取得される。各情報は、速度メーター系、エンジン制御系、自動走行制御系、および衝突防止制御系等の電子制御装置において、モニターまたは制御されている。また、外気温画像５４ａは、電子制御装置が外部環境をモニターするために備える外気温センサによって計測された外気温情報に基づいて生成される。
【００２５】
また表示画像Ａには、車内情報として受信放送局画像５４ｂが含まれている。受信放送局の情報は、オーディオ装置から取得される。受信放送局画像５４ｂは、ＡＭ放送、ＦＭ放送およびテレビ放送などの周波数、チャンネル番号および放送局名などを表示する。
【００２６】
また表示画像Ａには、道路交通規制に関する情報を表示する画像が含まれている。例えば、表示画像Ａは、最高速度画像５５ａおよび駐車禁止画像５５ｂなどの規制標識画像５５、道路が工事中であることや滑り易いことを示す警戒標識画像５６、国道番号、市町村、並びに方面および距離などを示す案内標識画像５７等を表示する。表示画像Ａに含まれる規制標識、警戒標識および案内標識等の道路標識の情報は、車両の現在位置に対応して地図表示装置が抽出したものを表示情報取得部２２において取得する。また道路標識の情報として、車両に備えた車外撮像装置によって撮像された画像から画像解析によって抽出される道路標識の情報を用いるようにしてもよい。
【００２７】
また表示画像Ａには、地図表示装置が提供するルート案内に関するルート案内画像５８が含まれている。地図表示装置は、ユーザが入力した目的地、経路設定条件等を含む経路設定情報に基づいて、現在位置と目的地を結び、経路設定条件に当てはまるルートの候補を地図データに基づいて作成する。経路設定条件は、例えば移動時間が短い、距離が短い等の条件である。地図表示装置は、作成したルート候補の中からユーザが選択した設定ルートに従って車両が走行するように、リアルタイムでルート案内を行う。表示画像生成部２３は、表示情報取得部２２により地図表示装置から取得したルート案内情報に基づいてルート案内画像５８を表示画像Ａに含ませる。尚、図３に示すルート案内画像５８は、２００ｍ先で右折することを案内している。
【００２８】
また、図３に示す表示画像Ａには含まれていないが、ＶＩＣＳが提供する道路交通情報をＶＩＣＳ受信装置から取得し、渋滞情報画像、および道路工事等による通行規制画像などを表示してもよい。
【００２９】
表示画像生成部２３は、視力取得部２１で取得されたユーザの視力に応じて、上述の各画像の表示画像の領域内における配置を変更するとともに、表示寸法（大きさ）を変更する。表示画像生成部２３は、ユーザの視力が低い場合には各画像の表示寸法を大きくし、高い場合には小さくする。表示画像生成部２３は、各画像の表示寸法を大きくした場合に表示画像全体が大きくなることを抑制するため、記憶部１１に記憶した優先順位テーブル１１ａに基づいて表示画像に含ませる画像を選択し、情報量を変更して表示画像を生成する。表示画像生成部２３は、視力が高い場合には情報量を多くし、視力が低い場合には優先順位の低い情報を除いて情報量を少なくして表示画像を生成する。表示画像生成部２３は、視力が低い場合には、優先順位の低い情報に対応する画像を除くことで生じるスペースを含む表示画像の領域内において、優先順位の高い情報に対応する各画像の相互の位置関係を調整して配置変更し、各画像の外形寸法を大きくする。
【００３０】
優先順位は、図４に示す優先順位テーブル１１ａのように、各情報に対して、例えば「低い」、「中位」および「高い」等の段階で設定する。表示画像生成部２３は、視力取得部２１により取得したユーザの視力が高い場合（例えば、視力１．２以上である場合）、図４に示す優先順位が低いもの、中位のもの、および高いもの全てを含む表示画像を生成する。また表示画像生成部２３は、視力取得部２１により取得したユーザの視力が中位である場合（例えば、視力０．８以上、１．２未満である場合）、優先順位が低いものを除き、中位のもの、および高いものを含む表示画像を生成する。また表示画像生成部２３は、視力取得部２１により取得したユーザの視力が低い場合（例えば、視力０．８未満である場合）、優先順位が低いものおよび中位のものを除き、高いものを含む表示画像を生成する。
【００３１】
優先順位設定部２４は、ユーザが入力部１０に入力する優先順位を取得し、優先順位テーブル１１ａを初期設定、および随時変更する。尚、優先順位テーブル１１ａに格納されている優先順位は、デフォルトで設定されていても良い。また、ユーザが入力部１０によって優先順位を入力する場合、制御部２０は、表示画像生成部２３によって情報名称やカテゴリ、選択する優先順位を表示する表示画像を生成して虚像６０を映し、優先順位を選択できるようにすると良い。
【００３２】
投射処理部２５は、表示画像生成部２３により生成した表示画像を虚像として投射する投射処理を行う。投射処理部２５は、投射処理において、後述する投射画像表示部３１が表示する画像の輝度や表示タイミング、光源３２の輝度や動作タイミング等を制御する。投射処理部２５は、表示画像生成部２３に対して、生成した表示画像を投射画像表示部３１に出力するよう指令し、投射画像表示部３１に対して、入力された表示画像を表示するよう指令する。また投射処理部２５は、照度センサ（図示略）などの情報に基づいて、投射画像表示部３１の表示画像輝度、および光源３２の輝度を制御する。
【００３３】
投射部３０は、投射画像表示部３１、光源３２、各種光学レンズおよび鏡などからなる光学系（図示略）が収納される。投射部３０は、表示画像をもとに画像表示光を生成して投射する。投射画像表示部３１には、例えば、反射型液晶表示パネルであるＬＣＯＳ（Liquid Crystal On Silicon）、若しくは透過型液晶パネルであるＬＣＤ（Liquid Crystal Display）、デジタルミラーデバイスを用いたＤＬＰ（Digital Light Processing）が使用される。投射画像表示部３１は、表示画像生成部２３から入力される表示画像を表示し、光源３２からの光が照射され、その反射または透過によって生成される画像表示光が光学系を通して投射鏡４０に投射される。なお、投射画像表示部３１が表示する画像の輝度や表示タイミング、光源３２の輝度や動作タイミング等は、上述のように投射処理部２５によって制御される。
【００３４】
投射画像表示部３１は、有機ＥＬ（Electro Luminescence）、蛍光表示管（Vacuum Fluorescent Display）、発光ダイオード（ＬＥＤ）等の自発光する素子からなる画像表示デバイスであってもよい。また、投射部３０は、透過型液晶、ＭＥＭＳ（Micro Electro Mechanical Systems）ミラーによるレーザ光走査であってもよい。
【００３５】
投射鏡４０は、例えば、凹面鏡によって構成される。投射鏡４０は、投射部３０から投射された画像表示光を反射することによって、画像表示光の方向をフロントガラス９０またはコンバイナの方向に変える。
【００３６】
次に実施形態に係る虚像表示装置１００の動作について、説明する。図５は、虚像表示処理の手順を示すフローチャートである。制御部２０の視力取得部２１は、フロントガラス９０の前方に虚像６０として表示される視力測定用画像（例えばランドルド環など）に基づいてユーザの視力を測定する（Ｓ１）。図６は、視力測定時に虚像として表示される表示画像の一例を示す模式図である。図６に示す表示画像には、視力測定用画像としてのランドルド環、視力測定中であること、およびユーザの回答を促す旨等の表示が含まれている。
【００３７】
ユーザは、ランドルド環の切欠きの方向を入力部１０により入力する。視力取得部２１は、ユーザの回答を入力部１０から取得したことを示す信号を表示画像生成部２３および投射処理部２５に出力する。表示画像生成部２３および投射処理部２５は、順次、視力測定用画像を虚像として表示していく。視力取得部２１は、各視力測定用画像に対するユーザの回答の正誤を判定し、正答が得られた最大の視力をユーザの視力として取得する（Ｓ２）。尚、視力取得部２１は、入力部１０によりユーザが入力した視力を取得するようにしてもよい。
【００３８】
表示情報取得部２２は、虚像６０として表示する情報を外部装置８０から取得する（Ｓ３）。表示情報取得部２２が取得する情報は、上述のように車両に関する情報、外部環境に関する情報、道路交通規制に関する情報、並びに現在位置情報およびルート案内情報等である。
【００３９】
表示画像生成部２３は、視力取得部２１により取得した視力が高いか否かを判定し（Ｓ４）、高いと判定した場合（Ｓ４：ＹＥＳ）、表示情報取得部２２により取得した全ての情報に対応する画像を含む表示画像を生成する（Ｓ５）。例えば、表示画像生成部２３は、視力取得部２１により取得したユーザの視力が１．２以上である場合に、視力が高いと判定する。表示画像生成部２３が生成する表示画像は、例えば図３に示す表示画像Ａであり、図４に示す優先順位テーブル１１ａにおける優先順位が「低い」、「中位」および「高い」に設定された情報に対応する各画像を含んでいる。
【００４０】
ステップＳ４において、視力が高くなく「否」と判定した場合（Ｓ４：ＮＯ）、表示画像生成部２３は、視力取得部２１により取得した視力が中位であるか否かを判定する（Ｓ６）。表示画像生成部２３は、ステップＳ６において、視力が中位であると判定した場合（Ｓ６：ＹＥＳ）、表示情報取得部２２により取得した情報のうち、優先順位テーブル１１ａにおける優先順位が「低い」ものを除く、「中位」および「高い」に設定された情報に対応する画像を含む表示画像を生成する（Ｓ７）。
【００４１】
例えば、表示画像生成部２３は、視力取得部２１により取得したユーザの視力が視力０．８以上、１．２未満である場合に、視力が中位であると判定する。図７は、視力に応じて虚像として表示される表示画像の一例を示す模式図である。表示画像生成部２３は、ユーザの視力が中位である場合に、例えば図７に示す表示画像Ｂを生成する。表示画像Ｂには、車両情報として走行速度画像５０、エンジン情報画像５１、維持速度画像５２および衝突警告画像５３が、規制情報として最高速度画像５５ａおよび警戒標識画像５６が、ルート案内情報としてルート案内画像５８が含まれている。
【００４２】
ステップＳ６において、視力が中位でなく「否」と判定した場合（Ｓ６：ＮＯ）、表示画像生成部２３は、視力取得部２１により取得した視力が低いとし、表示情報取得部２２により取得した情報のうち、優先順位テーブル１１ａにおける優先順位が「低い」および「中位」のものを除く、「高い」に設定された情報に対応する画像を含む表示画像を生成する（Ｓ８）。この場合、表示画像生成部２３は、例えばユーザの視力が０．８未満であると判定していることとなる。図８は、視力に応じて虚像として表示される表示画像の一例を示す模式図である。表示画像生成部２３は、ユーザの視力が低い場合に、例えば図８に示す表示画像Ｃを生成する。表示画像Ｃには、車両情報として走行速度画像５０が、規制情報として最高速度画像５５ａおよび警戒標識画像５６が、ルート案内情報としてルート案内画像５８が含まれている。
【００４３】
表示画像生成部２３は、車両に関する情報、外部環境に関する情報、道路交通規制に関する情報、並びに現在位置情報およびルート案内情報等に対応する各画像の大きさをユーザの視力に応じて変更することによって、表示画像の視認性を高めることができる。表示画像生成部２３は、優先順位テーブル１１ａに基づいて情報量を変更して表示画像を生成している。表示画像生成部２３は、視力が高い場合には情報量を多くし、視力が低い場合には優先順位の低い情報を除いて表示画像を生成することで、表示画像の視認性を高めることができる。
【００４４】
優先順位テーブル１１ａにおける各情報の優先順位は、ユーザが入力部１０に入力する優先順位を優先順位設定部２４により取得して変更することができるので、ユーザが必要とする情報を優先的に虚像６０として表示させることができる。
【００４５】
視力取得部２１は、虚像６０としてフロントガラス９０の前方へ投射された視力測定用画像に対するユーザの回答を取得し、ユーザの回答の正誤を判定することによって、正答が得られた最大の視力をユーザの視力として取得する。虚像表示装置１００は、ユーザが車両に搭乗した状態で運転操作を開始する前に視力測定を行うことにより、運転開始時における視力を取得することができ、昼夜の違いや目の疲労感等によって変化する視力に応じて、表示画像の視認性を高めることができる。
【００４６】
（変形例）
表示画像生成部２３は、ユーザによって入力される色の色相、明度および彩度に基づいて、表示画像に含まれる各情報に対応する画像の色を設定するようにしてもよい。虚像表示装置１００は、色相、明度および彩度の色見本を表示した色設定画面を虚像として表示し、ユーザが入力した色設定情報に基づいて、表示画像に表示する各画像の色を変更する。
【００４７】
色見本は、色相、明度および彩度を連続的または間欠的に変化させて表示するものとし、ユーザが選択することができるものとする。また、色見本は、特定色（例えば青色）から他の特定色（例えば赤色）まで変化させて表示するものとし、ユーザが選択することができるものとする。表示画像生成部２３は、各情報に対応する画像を選択した色によって補正するようにして変更する。
【００４８】
ユーザは、色の嗜好に応じて、例えば、日中における表示画像を青色が強くなるように設定し、夜間における表示画像を赤色が強くなるように設定することができる。虚像表示装置１００は、表示画像に表示する画像の色を変更して表示画像を生成することによって、視認性を更に高めることができる。また、ユーザの色設定情報を記憶部１１に１または複数種類、記憶させておき、ユーザが色設定情報を呼び出して利用できるようにしてもよい。この場合、複数のユーザが、それぞれ自己にとって画像の視認性の高い色設定情報を、記憶部１１に記憶させて利用することができる。
【００４９】
また実施形態においては、ユーザの視力測定時に視力測定用画像を１つずつ虚像として表示したが、複数の視力測定用画像を表示するようにしてもよい。図９は、変形例における視力測定時の表示画像の一例を示す模式図である。図９に示す表示画像には、視力測定用画像としての複数のランドルド環、視力測定中であること、およびユーザの回答を促す旨等の表示が含まれている。
【００５０】
ユーザは、複数のランドルド環のうち、１つを選択して切欠きの方向を入力部１０により入力する。ユーザが順次ランドルド環を選択して全ての回答が完了すると、視力取得部２１は、各視力測定用画像に対するユーザの回答の正誤を判定し、正答が得られた最大の視力をユーザの視力として取得する。
【００５１】
また実施形態において、虚像表示装置１００は、フロントガラス９０に表示画像を投射したが、コンバイナに投射するようにしてもよい。図１０は、変形例に係る虚像表示装置１００の構成を模式的に示す側面図である。虚像表示装置１００は、例えば車両のフロントガラス９０の下方におけるダッシュボード内またはダッシュボード上に配置され、コンバイナ４１の前方に虚像６０を表示する。虚像表示装置１００は、制御部２０から出力される表示画像に基づいて投射部３０が画像表示光を出射し、投射鏡４０で反射してコンバイナ４１に投射する。
【００５２】
コンバイナ４１は、ハーフミラーであり、フロントガラス９０の車内側に配置される。ユーザは、フロントガラス９０越しに望む車外の風景に、虚像６０が重畳された映像を認識することになる。これにより、ユーザは、フロントガラス９０越しに虚像６０を観察できるので、運転操作中に視線をほとんど動かすことなく情報を得ることができる。
【００５３】
次に、実施形態および変形例に係る虚像表示装置１００、虚像表示方法および虚像表示プログラムの特徴を説明する。
虚像表示装置１００は、視力取得部２１、表示情報取得部２２、表示画像生成部２３および投射処理部２５を備える。視力取得部２１はユーザの視力を取得し、表示情報取得部２２は表示する情報を取得する。表示画像生成部２３は、表示情報取得部２２により取得した情報に対応する画像を、視力取得部２１により取得した視力に応じて表示する表示画像を生成する。投射処理部２５は、表示画像生成部２３により生成した表示画像を虚像として投射する投射処理を行う。これにより、虚像表示装置１００は、視力に応じた画像が表示されるので、表示画像の視認性を高めることができる。
【００５４】
また表示画像生成部２３は、視力取得部２１により取得した視力に応じて、表示情報取得部２２により取得した情報に対応する画像の表示寸法を変更する。これにより、虚像表示装置１００は、視力が高い場合には画像を小さくし、視力が低い場合には画像を大きくすることで、表示画像の視認性を高めることができる。
【００５５】
また表示画像生成部２３は、視力取得部２１により取得した視力に応じて、表示画像に含まれる情報量を変更する。これにより、虚像表示装置１００は、視力が高い場合には情報量を多くし、視力が低い場合には情報量を少なくして、表示画像の視認性を高めることができる。
【００５６】
また優先順位設定部２４は、表示情報取得部２２により取得される情報の優先順位を設定する。表示画像生成部２３は、設定された優先順位に基づいて、表示画像に含まれる情報量を変更する。これにより、虚像表示装置１００は、視力が低い場合には優先順位の低い情報を除いて表示画像を生成することで、表示画像の視認性を高めることができる。
【００５７】
また視力取得部２１は、虚像として投射された視力測定用画像に対するユーザの回答に基づいて視力を取得する。これにより、虚像表示装置１００は、ユーザが車両に搭乗した状態で視力を取得することができる。運転操作を開始する前に視力測定を行うことで、運転開始時における視力を取得することができる。
【００５８】
また視力取得部２１は、車両の運転開始時の視力を取得する。これにより、虚像表示装置１００は、ユーザが運転を開始する前に視力を取得することで、運転開始時の視力に応じて表示画像の視認性を高めることができる。
【００５９】
また表示画像生成部２３は、虚像として投射された色見本の表示画像に対するユーザの入力に基づいて表示画像を生成する。これにより、虚像表示装置１００は、表示画像に表示する画像の色を変更して表示画像を生成することによって、視認性を更に高めることができる。
【００６０】
また虚像表示方法は、視力取得ステップ、表示情報取得ステップ、表示画像生成ステップおよび投射処理ステップを備える。視力取得ステップはユーザの視力を取得し、表示情報取得ステップは表示する情報を取得する。表示画像生成ステップは、表示情報取得ステップにより取得した情報に対応する画像を、視力取得ステップにより取得した視力に応じて表示する表示画像を生成する。投射処理ステップは、表示画像生成ステップにより生成した表示画像を虚像として投射する投射処理を行う。この虚像表示方法によれば、視力に応じた画像が表示されるので、表示画像の視認性を高めることができる。
【００６１】
また虚像表示プログラムは、視力取得ステップ、表示情報取得ステップ、表示画像生成ステップおよび投射処理ステップをコンピュータに実行させる。視力取得ステップはユーザの視力を取得し、表示情報取得ステップは表示する情報を取得する。表示画像生成ステップは、表示情報取得ステップにより取得した情報に対応する画像を、視力取得ステップにより取得した視力に応じて表示する表示画像を生成する。投射処理ステップは、表示画像生成ステップにより生成した表示画像を虚像として投射する投射処理を行う。この虚像表示プログラムによれば、視力に応じた画像が表示されるので、表示画像の視認性を高めることができる。
【００６２】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００６３】
２１  視力取得部、  ２２  表示情報取得部、  ２３  表示画像生成部、
２４  優先順位設定部、  ２５  投射処理部、  １００  虚像表示装置。
【図１】
2019061088.tif 000003
【図２】
2019061088.tif 000004
【図３】
2019061088.tif 000005
【図４】
2019061088.tif 000006
【図５】
2019061088.tif 000007
【図６】
2019061088.tif 000008
【図７】
2019061088.tif 000009
【図８】
2019061088.tif 000010
【図９】
2019061088.tif 000011
【図１０】
2019061088.tif 000012